(57)【要約】【課題】一台の表示装置で複数の標識を効率的に表示可能な技術の提供。【解決手段】矩形の表示面を有する表示部と、形および大きさが異なる複数の標識の図形情報を記録するメモリと、形および大きさの異なる前記標識を識別する識別番号に基づいて、前記識別番号が示す前記標識の前記図形情報を取得し、当該図形情報に基づいて前記標識を前記表示面に表示させる表示制御部と、を備える、表示装置を構成する。【選択図】図１
2020113024.tif 000002
【特許請求の範囲】
【請求項１】
矩形の表示面を有する表示部と、
形および大きさが異なる複数の標識の図形情報を記録するメモリと、
形および大きさの異なる前記標識を識別する識別番号に基づいて、前記識別番号が示す前記標識の前記図形情報を取得し、当該図形情報に基づいて前記標識を前記表示面に表示させる表示制御部と、
を備える表示装置。
【請求項２】
入出力インタフェースを備え、
前記入出力インタフェースを介して入力される外部からの前記識別番号に基づいて、前記識別番号が示す前記標識を前記表示面に表示させる、
請求項１記載の表示装置。
【請求項３】
形および大きさが異なる複数の前記標識の外周の一部は、前記表示面の辺上で重なり、かつ、前記標識の大きさが法令で規定された大きさである、
請求項１または請求項２に記載の表示装置。
【請求項４】
最大の大きさの前記標識は、
正三角形の底辺に長方形が連結した形状の五角形である、
請求項１〜請求項３のいずれかに記載の表示装置。
【請求項５】
前記表示面において、円形の前記標識が、正八角形の前記標識の各辺に内接する位置に表示される、
請求項１〜請求項４のいずれかに記載の表示装置。
【請求項６】
前記メモリには、複数の前記標識の前記図形情報がベクタ形式によって記録されており、
前記表示制御部は、
前記ベクタ形式の前記図形情報をビットマップ形式の前記図形情報に変換し、変換後の前記図形情報に基づいて前記標識を前記表示面に表示させる、
請求項１〜請求項５のいずれかに記載の表示装置。
【請求項７】
矩形の表示面に標識を表示する表示方法であって、
形および大きさの異なる前記標識を識別する識別番号に基づいて、前記識別番号が示す前記標識の図形情報を取得し、当該図形情報に基づいて前記標識を前記表示面に表示させる、
表示方法。
【発明の詳細な説明】
【技術分野】
【０００１】
本発明は、形および大きさが異なる複数の標識を表示する表示装置および表示方法に関する。
【背景技術】
【０００２】
従来、標識を表示するための表示装置が知られている。例えば、特許文献１においては、電子ペーパーを備える表示部の書き換えを制御することにより標識画像を可変表示する構成が開示されている。
【先行技術文献】
【特許文献】
【０００３】
【特許文献１】特開２０１６−９５５６３号公報
【発明の概要】
【発明が解決しようとする課題】
【０００４】
しかしながら、特許文献１においては、同一形状の異なる標識が表示される表示部が採用されており、形および大きさが異なる複数の標識を表示することが想定されていない。
【０００５】
本発明は、前記問題にかんがみてなされたもので、一台の表示装置で複数の標識を効率的に表示可能な技術を提供することを目的とする。
【課題を解決するための手段】
【０００６】
前記の目的を達成するため、本発明の表示装置は、矩形の表示面を有する表示部と、形および大きさが異なる複数の標識の図形情報を記録するメモリと、形および大きさの異なる標識を識別する識別番号に基づいて、識別番号が示す標識の図形情報を取得し、当該図形情報に基づいて標識を表示面に表示させる表示制御部と、を備える。
【０００７】
すなわち、表示装置においては、形および大きさが異なる標識を識別する識別番号に基づいて形および大きさの異なる複数の標識を表示面に表示させることが可能である。
【０００８】
さらに、形および大きさが異なる複数の標識の外周の一部は、表示面の辺上で重なり、かつ、標識の大きさが法令で規定された大きさの構成でもよい。この構成によれば、一台の表示装置で複数の標識を効率的に表示可能である。
【図面の簡単な説明】
【０００９】
【図１】図１Ａは支柱の上部に取り付けられた表示装置の外観を示す図、図１Ｂは表示装置のブロック図である。
【図２】形および大きさの異なる標識と表示位置との対応を示す図である。
【図３】図３Ａ，図３Ｂはメモリに記録されたビットマップ形式の図形情報とその図形情報を表示面に配置するための基準位置座標との関係の一例を示す図である。
【図４】道路標識の形状毎に表示可能な標識の大きさを示す図である。
【図５】横幅が９００ｍｍの表示面に表示可能な標識の形および大きさを示す図である。
【図６】表示制御処理のメインフローチャートである。
【図７】図７Ａ〜図７Ｄは携帯無線端末（スマートフォン、タブレット等）の操作画面を示す説明図である。
【図８】図８Ａは表示位置コードと標識コードのビット毎の詳細を示す図であり、図８Ｂは表示制御処理の中における識別番号の読取りに関するサブフローチャートである。
【図９】図９Ａは識別番号と表示面の横幅（横方向の長さ）が９００ｍｍの標識の基準位置座標との対応を示す対照表であり、図９Ｂはベクタ形式で図１Ｂのメモリ２０ａに記録した図形情報を、ラスタライズによりビットマップ形式の図形情報に変換する説明図である。
【発明を実施するための形態】
【００１０】
ここでは、下記の順序に従って本発明の実施の形態について説明する。
（１）第１実施形態：
（１−１）表示制御処理：
（２）他の実施形態：
【００１１】
（１）第１実施形態：
【００１２】
図１Ａは、本発明の実施形態にかかる表示装置１の外観を示す図である。本実施形態において、表示装置１は、支柱１ａの上部に取り付けられた表示部３０を備えており、表示部３０は長方形の表示面３０ａを備えている。本実施形態において、表示部３０の表示面３０ａは電子ペーパーである。本実施形態の表示装置１は、図２のように複数の道路標識を１つの表示面に表示することが可能な表示装置である。なお、図２においては、表示部３０が備える表示面３０ａの辺を実線で示し、表示面３０ａに表示可能な標識を一点鎖線で示している。表示面３０ａの周囲には、標識の実例を示すとともに、その表示位置を矢印によって示している。なお、標識の実例の周囲には、表示面３０ａの辺を一点鎖線によって示している。
【００１３】
道路標識は、法令（道路標識に関する命令）によって色、形および大きさが規定されている。従って、本実施形態においては、道路標識を表現するための色を表現可能な電子ペーパーが利用される。むろん、電子ペーパーの標識は種々の方式であってよく、例えば、ツイストボール方式、エレクトロミック方式、可動フィルム方式等の方式を利用することが可能である。図１Ａにおいては、表示面３０ａには、道路標識として、駐車禁止の道路標識（規制標識）が表示されている状態が示されているが、本実施形態においては、当該駐車禁止の道路標識以外にも警戒標識、指示標識等種々の道路標識を表示可能である（詳細は後述）。
【００１４】
表示面３０ａは縦方向に高さ、横方向に幅を持つ長方形であり、支柱１ａが延びる方向に平行な方向に表示面３０ａが向けられている。支柱１ａは路端や歩道等に設置され、通常、支柱１ａの延びる方向が鉛直方向に平行に向けられた状態で設置される。この場合、表示面３０ａは鉛直方向に平行となる。また、通常、表示面３０ａは、道路が延びる方向に対して垂直になるように向けられ、路面から一定のクリアランスを確保した位置に設置される。本実施形態において、表示面３０ａは、支柱１ａが延びる方向に対して２辺が平行、他の２辺が垂直である。
【００１５】
図１Ｂは、表示装置１の構成を示すブロック図である。図１Ｂに示すように、表示装置１は、入出力インタフェース部１０と表示制御部２０とメモリ２０ａと表示部３０と電源部４０とを備えている。入出力インタフェース部１０は、表示装置１と異なる種々の装置を接続可能なインタフェースである。本実施形態においては、表示対象の道路標識を選択するなどの操作を行うための操作端末を接続可能である。接続可能な端末は種々の態様であって良く、現場で表示装置１を直接に操作する携帯無線端末であっても、表示装置１を集中管理する遠方の端末（中央装置）であっても良い。また、接続方式も無線接続、有線接続（光回線等）、赤外線等任意な通信媒体を利用した方式であって良い。
【００１６】
電源部４０は、外部の装置から電力の供給を受け、電力供給先の仕様に合わせた電圧への変換等を行って電力を供給する回路である。すなわち、電源部４０は、入出力インタフェース部１０、表示制御部２０、メモリ２０ａ、表示部３０に対して電力を供給する。なお、本実施形態において、表示制御部２０は、電源部４０を制御し、電力の供給と非供給とを切り替えることができる。
【００１７】
本実施形態において、表示部３０の表示面３０ａは電子ペーパーであるため、表示面３０ａ上の画像を書き替える際に電力が必要であるものの、画像を書き替えた後には電力を必要としない。そこで、表示制御部２０は、電源部４０に制御指示を出力し、表示面３０ａ上の画像を書き替える際には表示部３０に電力を供給させるが、書き替えが完了した後には電力の供給を停止させる。むろん、表示面３０ａで再描画（同じ画像の再表示）を行う際にも電力の供給は行われる。なお、電源部４０は、表示部３０が含まれる筐体の内部に備えられていても良いし、表示部３０とは別の筐体、例えば、制御ボックス内に備えられてもよい。なお、図１Ｂにおいては、電力の供給を破線の矢印で示し、信号の授受を実線の矢印で示している。
【００１８】
表示制御部２０は、ＣＰＵとＲＯＭとＲＡＭ等を含むコンピュータであり、ＲＯＭに記録されている制御プログラムがＣＰＵにて実行される。メモリ２０ａは、図形情報を記録するメモリである。表示制御部２０は、制御プログラムによりメモリ２０ａに記録された任意の標識ファイルを取得し、表示部３０を制御して各ファイルに記録された図形情報を表示面３０ａの特定の位置に表示させることができる。本実施形態においては、道路標識を表示させるための図形情報が表示画素対応のビットマップ形式で記録されており、図３Ａのように標識の縦横の最大の大きさ（図３Ａ中の数値は一例）を一辺とする矩形状のビットマップデータの特定位置座標（ｘ０，ｙ０）を、図３Ｂに示す各標識の基準位置座標に置き換えることにより各標識を表示面３０ａの任意の位置に表示させることができる。この基準位置座標はメモリ２０ａに予め記録されていても良い。図９Ａの対照表には、基準位置座標がメモリ２０ａに予め記録されている場合を示している。なお、基準位置座標Ｘ，Ｙの添字（例えば、Ｘ0+130の０＋１３０やＸ0+150の０＋１５０）は、その数値が特定位置座標（ｘ０，ｙ０）からのずれ量を示している。
【００１９】
表示部３０は、上述のように、表示制御部２０の制御によって任意の画像を表示することができるが、本実施形態において表示対象となる画像は道路標識であるため、標識が設置される場所に応じて標識の大きさが法令によって予め決められている。従って、本実施形態においてメモリ２０ａに記録された標識（図形情報）は、図４のように法令によって決められた４種類の大きさ（２／３倍、１．０倍、１．５倍、２．０倍）として示している。なお、本実施形態においては、図４の複数の選択肢の中から設置場所に応じて表示される標識の大きさによって表示面３０ａの大きさが決定され、その大きさ以下の複数の標識が、表示面３０ａで表示される。なお、図４に示すように同じ形状に対して標識の大きさが異なるため、表示可能なビットマップデータを記録することとなる。なお、図４の形状記号に関しては後述する。
【００２０】
図５は、本実施形態において表示面３０ａに表示可能な道路標識の形の全てを示す図である。図５においては、表示面３０ａに表示される標識の形が実線、一点鎖線、二点鎖線、破線で示されている。すなわち、対角線方向が縦方向および横方向に平行になるように表示される菱形の道路標識Ｓ1の形および大きさが実線で示されている。また、正三角形の底辺に長方形が連結した形状の五角形の道路標識Ｓ2と、円形の道路標識Ｓ3の形および大きさが一点鎖線で示されている。さらに、底辺が表示面の上方近くに配置された逆三角形の道路標識Ｓ4と、正八角形の道路標識Ｓ6の形および大きさが二点鎖線で示されている。さらに、正方形の道路標識Ｓ5の形および大きさが破線で示されている。以上のように、五角形、円形、正八角形、正方形の標識の外周の一部が重なる位置に配置されることにより余白を少なくすることができ、表示面３０ａを効率的に利用して標識を表示させることができる。なお、道路標識Ｓ1〜道路標識Ｓ5は、図４に示す形状記号Ｓ1〜Ｓ5にそれぞれ対応する。
【００２１】
なお、菱形の道路標識Ｓ1は、例えば、警戒標識等であり、日本、フランス、ドイツ、米国等で利用されている。五角形の道路標識Ｓ2は、例えば、横断歩道を示す指示標識等であり、日本等で利用されている。円形の道路標識Ｓ3は、例えば、車両進入禁止や制限速度等を示す規制標識等であり、日本、イギリス、フランス、ドイツ、米国、中国等で利用されている。逆三角形の道路標識Ｓ4は、例えば、一旦停止や徐行等を示す規制標識等であり、日本、イギリス、フランス、ドイツ、米国、中国等で利用されている。正方形の道路標識Ｓ5は、例えば、駐車可等を示す規制標識等であり、日本、イギリス、フランス等で利用されている。八角形の道路標識Ｓ6は、例えば、一旦停止等を示す規制標識等であり、イギリス、フランス、ドイツ、米国、中国等で利用されている。
【００２２】
このように、道路標識には、形の他に大きさが異なる標識が存在するが、それぞれにおける大きさとして採用し得る大きさは４種類あり、その中から設置場所に応じて表示面の大きさが決定される。本実施形態においては、図５に示すように、五角形の道路標識Ｓ2と円形の道路標識Ｓ3と八角形の道路標識Ｓ6と正方形の道路標識Ｓ5は外周の一部が重なる位置に配置される。
【００２３】
また、図５に示すように表示面３０ａに表示したい標識の大きさは、高さをＤＨ、幅をＤＷとすると、以下の式でそれぞれ表すことができる。
【数１】
2020113024.tif 000003
【００２４】
ここで、式（１）〜（４）に使用されているＢ，Ｅ，Ｇは道路標識Ｓ2，Ｓ5，Ｓ6の幅および道路標識Ｓ3の直径、Ｃは道路標識Ｓ2の五角形の上の部分である正三角形の１辺の長さ、Ｄは道路標識Ｓ2の五角形の下の部分である長方形の高さ、Ｆは道路標識Ｓ１の１辺の長さ（２1/2Ｆは道路標識Ｓ１の対角線の長さ）、Ｈは道路標識Ｓ4の１辺の長さをそれぞれ示している。以上のように、各標識の高さや長さ等を記号や式で置き換えることにより、表示させたい標識の大きさを算出することができる。なお、図５のＡは道路標識Ｓ5の高さを表す。
【００２５】
一方、基準位置座標を標識の中心、例えば、道路標識Ｓ3の直径の１／２を基準位置座標として、当該円形の標識の全画素の座標を設定し、当該座標を表示面に予め設けた特定の座標を中心として座標変換することで、当該円形の標識を表示面の特定の位置に配置することが可能となる。同様にして、各標識の任意の座標（例えば、左上端の座標）を基準位置座標とした標識の全画素の座標を設定し、設定した座標を表示面の特定の位置を基準とする座標に変換することで、上記で算出された形状の標識を表示面の任意な位置に配置することが可能となる。
【００２６】
以上のように、本実施形態にかかる表示面３０ａにおいては、１つの表示面で形および大きさが異なる複数の標識を表示可能である。すなわち、表示制御部２０は、標識ファイルに含まれる図形情報に基づいて道路標識の一つを表示面３０ａに表示させる。そして、本実施形態においては、表示される道路標識の形および大きさに基づいて表示面３０ａの大きさが決定されている。
【００２７】
図５に示すように、縦方向の長さが最大（ＤＨ）である道路標識は道路標識Ｓ2である。そこで、この長さを基に表示面３０ａの縦の大きさが決定される。
【００２８】
以上の構成によれば、表示する標識の外周に応じた表示面を選択するため、横方向に最も大きい道路標識を表示させる場合に、標識の一部を欠けさせることなく当該標識を表示面３０ａに表示させることが可能であり、かつ、横方向に無駄な余白を生じさせることがない。従って、表示面３０ａの横方向における表示可能領域を効率的に利用した状態で複数の形状の道路標識を表示させることができる。
【００２９】
また、縦方向に最も大きい道路標識を表示させる場合に、当該道路標識を欠けることなく表示面３０ａに表示させることが可能であり、かつ、横方向にも無駄な余白を生じさせることがない。従って、表示面３０ａの縦方向における表示可能領域を効率的に利用した状態で道路標識を表示させることができる。以上の構成によれば、表示面３０ａを効率的に利用し、無駄な余白ができるだけ発生しないようにすることができる。本実施形態のように、表示面３０ａが電子ペーパーで構成されている場合、表示面３０ａは高価であるため、無駄な余白が発生しないように構成することにより、大きなコストメリットが得られる。
【００３０】
（１−１）表示制御処理：
次に、本実施形態にかかる表示装置１による表示制御処理を説明する。図６は、表示制御部２０が実行する表示制御処理を示すメインフローチャートである。表示制御処理は、入出力インタフェース部１０を介して表示装置１に操作端末が無線接続された状態で実行される。特定の表示装置１と携帯無線端末とが接続されることで、携帯無線端末は、当該表示装置１の機能および性能の範囲で操作画面の表示選択を可能とする。例えば、図７に示すように携帯無線端末の画面で標識の種別（図７（Ａ））、形（図７（Ｂ））、大きさ（図７（Ｃ））、表示する標識（図７（Ｄ））の順に表示したい標識を選択することによって、標識の識別番号が表示装置１に送信され、その識別番号を、入出力インタフェース部１０を介して受信することで表示制御が実行される。なお、携帯無線端末と表示装置１との表示制御処理が開始されると、表示制御部２０は、初期化を行う（ステップＳ１００）。初期化は、新規に道路標識を表示させるための準備であり、例えば、変数を初期値に設定するなどの既定の処理が行われる。
【００３１】
次に、表示制御部２０は、入力した識別番号（例えば、１１０００００１の表示位置コードと０００００００１の標識コードからなる２バイトのコード信号）をメモリ２０ａに予め記録された対照表を使って変換し、表示位置情報と標識ファイルを取得する（ステップＳ１０５）。なお、表示制御を行う信号には、特定の表示装置を選択するコードや動作状態を監視するコードなど種々のコード信号が含まれるが本実施形態においては、理解を容易とするため、図８Ａに示すような表示位置コードと標識コードによって標識を識別して表示面の特定の位置に表示するのに必要なコード信号のみについて説明する。図８Ａの表示位置コードの先頭１ビットは"１"で固定されており、次の２ビットは標識の種類、さらに次の３ビットは標識の形状、最後の２ビットは標識の大きさをそれぞれ示す。また、図８Ａの標識コードは、８ビット全てが標識の絵柄（例えば、図７（Ｄ）に示すような駐車禁止、進入禁止等）を選択する識別番号を表している。
【００３２】
次に、識別番号をテーブル変換し、標識の表示位置と個々の標識ファイルを取得するステップＳ１０５の詳細について、図８Ｂを用いて説明する。表示制御部２０は、先頭ビット"１"に続く２ビット"００"，"０１"，"１０"の信号を判定することで標識の種類を判定する（ステップＳ５１００）。そして、表示制御部２０は、当該２ビットが"００"，"０１"，"１０"のそれぞれである場合に、指示標識（ステップＳ５２００）、警戒標識（ステップＳ５３００）、規制標識（ステップＳ５４００）を選択する。
【００３３】
次に、同じ種類の標識でも形が異なるため、標識の形の判定を前２ビットに続く３ビットを使って判定する（ステップＳ５２１０，Ｓ５３１０およびＳ５４１０）。ここで、３ビットの信号が"０００"，"００１"，"０１０"，"０１１"，"１００"の場合に、円形、正方形、五角形、逆三角形、菱形とそれぞれ判定される。最後に、形に応じて４種類の大きさの標識を分ける判定が１バイト目の残り２ビット"００"，"０１"，"１０"，"１１"を使って行われる（ステップＳ５２２０，Ｓ５２３０，Ｓ５３２０，Ｓ５４２０〜Ｓ５４４０）。これによって、図９Ａに示す識別番号（例えば、図９Ａの太枠で示した１１０００００１）に対応する基準位置座標が対照表によって選択され、表示面３０ａに対する基準位置座標が決まる（ステップＳ５５００）。
【００３４】
次に、２バイト目のコード信号の内の標識コードによって、標識のファイルを選択する方法について説明する。標識ファイルは、円形、正方形、五角形、逆三角形、菱形の５形状と２／３倍、１．０倍、１．５倍、２．０倍の各倍率を持つ４種類の寸法の標識に分類されており、個々の標識ファイルを選択するため、表示制御部２０は、表示位置コードに続く標識コードを変換し（ステップＳ５５１０〜Ｓ５５６０）、形状毎の標識ファイルを選択する（ステップＳ５６００）。例えば、規制標識で円形の標識が選択された場合は、特定の大きさに対してそれぞれ３８種類（２０１８年１２月現在）の標識が該当するため標識選択のステップＳ５５４０により６ビットの有意コード（例えば、００１００１０１）によって特定の標識を選択する。次に、図６のメインフローにおいて、表示制御部２０は、描画座標を設定する（ステップＳ１１０）。本実施形態においては、図３Ａに示す矩形状のビットマップデータの特定位置座標（ｘ０，ｙ０）を図３Ｂに示す各標識の基準位置座標に合わせてビットマップデータの座標を表示面３０ａの座標に置き換える。
【００３５】
次に、表示制御部２０は、図６のステップＳ１０５で取得された標識ファイルが、表示させたい標識ファイルであるかどうか確認するため、携帯無線端末の利用者に問合せる（ステップＳ１１５）。携帯無線端末の利用者は、当該画像に基づいて意図通りの画像が表示対象になっているか否かを確認し、許可または不許可を当該端末に入力する。この入力結果が、入出力インタフェース部１０を介して表示制御部２０に送られ、許可された場合（図６のステップＳ１１５：Ｙ）は、ステップＳ１０５で取得された標識ファイルが示す画像（携帯無線端末上では、サムネイル等）が、表示部３０に転送される（ステップＳ１２０）。また、表示制御部２０は、ステップＳ１１０で設定された描画座標に表示するための制御信号を表示部３０に出力する。
【００３６】
この結果、表示部３０の表示面３０ａには、表示させたい位置に選択された形と大きさの道路標識が表示される。不許可の場合（図６のステップＳ１１５：Ｎ）、表示制御部２０は、ステップＳ１０５からＳ１１５の処理を繰り返す。
【００３７】
（２）他の実施形態：
上述した実施形態においては、表示制御部２０が表示面３０ａに表示する標識と同じ画素数のビットマップデータを表示制御部２０のメモリ２０ａに記録し、当該ビットマップデータの座標を表示面３０ａの座標に変換して表示を行う構成であったが、むろん、携帯無線端末側または遠方の端末（中央装置）にビットマップデータを記録し、図６のステップＳ１００からＳ１１０を携帯無線端末または遠方の端末で実行し作成した図形情報が表示装置１に送られ、メモリ２０ａに記録した後に表示部３０に転送されて表示される構成であっても良い。
【００３８】
また、図形情報は、上述の実施形態で説明したビットマップ形式でメモリ２０ａに記録する構成に限定されず、以下の数式に示すようなベクタ形式で記録した各標識ファイルをラスタライズすることによって、図９Ｂに示すビットマップデータに変換され、メモリ２０ａに記録するデータ容量を抑える方法を採用してもよい。図９Ｂは通行止めを表示する円形の規制標識の一例として、座標ＳＣ（ｘ，ｙ）を中心として、以下の式より大まかな形を描画することができる。
【数２】
2020113024.tif 000004
式（５），（６）においてｒ1，r2 は描画したい円形の半径を示しており、初期条件として半径r1が３００ｍｍである場合を想定している。まず、式（５）により赤い円を描く。次に、式（６）により赤い円の内側に白い円を上書きする。これによって、図９Ｂの形を表現することができ、その後も同様な要領で斜線等を描画すれば良い。
【００３９】
表示部は、矩形の表示面を有していればよく、表示面の態様は限定されない。従って、表示面が電子ペーパーである構成以外にも種々の構成を採用可能である。例えば、液晶表示パネルや有機ＥＬ表示パネル、マイクロＬＥＤ表示パネル、量子ドット表示パネルなどの種々の装置によって表示面が構成されて良い。表示面は、対向する２辺が平行な長方形であれば良く、正方形であっても良い。
【００４０】
表示制御部は、形および大きさが異なる複数の標識の少なくとも１個を表示面に表示させることができればよい。従って、表示面に１個ずつ標識が表示されても良いし、複数個表示されても良い。また、複数の決まった標識を特定の曜日や時間に変化させる表示装置であれば、外部より制御信号を入力することが必要ないため、メモリに記録したプログラムと識別番号のみによって標識を表示制御する方法を採用しても良い。
【００４１】
むろん、標識は道路標識に限定されず、鉄道標識等であっても良いし、任意の標識（例えば、看板等）であっても良い。いずれにしても、表示装置において、複数の標識が表示され得る状態であり、標識同士においては、形および大きさの少なくとも一方が異なればよい。なお、表示制御部においては、各標識が表示面からはみ出さないように各標識を表示させることができればよい。従って、上述の実施形態のように、左肩寄せとする構成に限定されず、各標識が表示面からはみ出さないように表示可能であれば、種々の位置に基準位置座標が設定されて標識が表示されて良い。
【００４２】
表示面の大きさは、複数の形状の標識を表示するための最小面積であり、この面積を無駄なく最大限利用可能とする大きさ（例えば、五角形の標識の縦の長さ）の標識同士の辺の一部が重なるように設定されれば良い。
【００４３】
また、表示面において欠けることなく道路標識が表示され、かつ、無駄な余白によるコストの上昇を防止することができればよい。さらに、表示装置１を設置する形態は、最良の実施形態の図１Ａの支柱１ａのように支柱の上に路面から一定のクリアランスを持って設置してもよいし、その背面を歩道橋や鉄道の高架橋の橋げたなどに適宜な支持金具（図示せず）によって支持し設置する形態であっても良い。
【符号の説明】
【００４４】
１…表示装置、１ａ…支柱、１０…入出力インタフェース部、２０…表示制御部、２０ａ…メモリ、３０…表示部、３０ａ…表示面、４０…電源部
【図１】
2020113024.tif 000005
【図２】
2020113024.tif 000006
【図３】
2020113024.tif 000007
【図４】
2020113024.tif 000008
【図５】
2020113024.tif 000009
【図６】
2020113024.tif 000010
【図７】
2020113024.tif 000011
【図８】
2020113024.tif 000012
【図９】
2020113024.tif 000013
【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
矩形の表示面を有する表示部と、
形および大きさが異なる複数の標識の図形情報を記録するメモリと、
形および大きさの異なる前記標識を識別する識別番号に基づいて、前記識別番号が示す前記標識の前記図形情報を取得し、前記標識の縦横の最大の大きさを一辺とする矩形状の特定の位置である特定位置座標を、前記表示面の基準位置座標に配置することによって前記標識の前記表示面における表示位置を決定し、当該図形情報に基づいて前記標識を前記表示面に表示させる表示制御部と、
を備える表示装置。
【請求項２】
入出力インタフェースを備え、
前記表示制御部は、
前記入出力インタフェースを介して入力される外部からの前記識別番号に基づいて、前記識別番号が示す前記標識の種類、形、大きさおよび前記基準位置座標を決定し、決定された種類、形および大きさの前記標識の前記特定位置座標を前記表示面の前記基準位置座標に配置することによって前記標識の前記表示面における表示位置を決定する、
請求項１記載の表示装置。
【請求項３】
形および大きさが異なる複数の前記標識の外周の一部は、前記表示面の辺上で重なり、かつ、前記標識の大きさが法令で規定された大きさである、
請求項１または請求項２に記載の表示装置。
【請求項４】
最大の大きさの前記標識は、
正三角形の底辺に長方形が連結した形状の五角形である、
請求項１〜請求項３のいずれかに記載の表示装置。
【請求項５】
前記表示面において、円形の前記標識が、正八角形の前記標識の各辺に内接する位置に表示される、
請求項１〜請求項４のいずれかに記載の表示装置。
【請求項６】
前記メモリには、複数の前記標識の前記図形情報がベクタ形式によって記録されており、
前記表示制御部は、
前記ベクタ形式の前記図形情報をビットマップ形式の前記図形情報に変換し、変換後の前記図形情報に基づいて前記標識を前記表示面に表示させる、
請求項１〜請求項５のいずれかに記載の表示装置。
【請求項７】
矩形の表示面に標識を表示する表示方法であって、
形および大きさの異なる前記標識を識別する識別番号に基づいて、前記識別番号が示す前記標識の図形情報を取得し、前記標識の縦横の最大の大きさを一辺とする矩形状の特定の位置である特定位置座標を、前記表示面の基準位置座標に配置することによって前記標識の前記表示面における表示位置を決定し、当該図形情報に基づいて前記標識を前記表示面に表示させる、
表示方法。
【手続補正２】
【補正対象書類名】明細書
【補正対象項目名】００１８
【補正方法】変更
【補正の内容】
【００１８】
表示制御部２０は、ＣＰＵとＲＯＭとＲＡＭ等を含むコンピュータであり、ＲＯＭに記録されている制御プログラムがＣＰＵにて実行される。メモリ２０ａは、図形情報を記録するメモリである。表示制御部２０は、制御プログラムによりメモリ２０ａに記録された任意の標識ファイルを取得し、表示部３０を制御して各ファイルに記録された図形情報を表示面３０ａの特定の位置に表示させることができる。本実施形態においては、道路標識を表示させるための図形情報が表示画素対応のビットマップ形式で記録されており、図３Ａのように標識の縦横の最大の大きさ（図３Ａ中の数値は一例）を一辺とする矩形状のビットマップデータの特定位置座標（ｘ０，ｙ０）を、図３Ｂに示す各標識の基準位置座標に置き換えることにより各標識を表示面３０ａの任意の位置に表示させることができる。この基準位置座標はメモリ２０ａに予め記録されていても良い。図９Ａの対照表には、基準位置座標がメモリ２０ａに予め記録されている場合を示している。なお、基準位置座標Ｘ，Ｙの添字（例えば、Ｘ0+130の０＋１３０やＸ0+150の０＋１５０）は、その数値が表示面の位置座標の原点（０，０）からのずれ量を示している。